(57)【特許請求の範囲】
【請求項１】
ＩＣカードを即時発行する店舗に設置される端末装置と、前記店舗に設置されるＩＣカード発行機と、前記端末装置および前記ＩＣカード発行機とネットワークを介して接続しているＩＣカード発行管理装置とから少なくとも構成されるシステムであって、
前記ＩＣカード発行管理装置は、
前記ＩＣカード発行機へカード発行データを送信し、前記ＩＣカード発行機をリモート制御してＩＣカードを発行するＩＣカード発行機制御手段と、
前記ＩＣカード発行機の発行機番号に関連付けて未発行ＩＣカードのカード残枚数をカード種別毎に管理し、リモート制御した前記ＩＣカード発行機の発行機番号、発行したＩＣカードのカード種別および発行枚数が前記ＩＣカード発行制御手段から通知されると、該発行機番号に関連付けられている該カード種別のカード残枚数から該発行枚数を減算し、
前記ＩＣカード発行機の発行機番号、カード種別および未発行ＩＣカードの補充枚数が前記端末装置から通知されると、該発行機番号に関連づけられている該カード種別のカード残枚数に該補充枚数を加算するカード残枚数管理手段と、を備えている、
ことを特徴とするＩＣカード発行システム。
【請求項２】
前記ＩＣカード発行管理装置の前記カード残枚数管理手段は、前記ＩＣカード発行機の発行機番号に関連付けて前記端末装置の端末番号を記憶し、前記端末装置の端末番号に対応する発行機番号に関連付けているカード種別毎のカード残枚数を前記端末装置に定期的に通知した後、前記端末装置に通知したカード残枚数と前記ＩＣカード発行機内の未発行ＩＣカードのカード残枚数との差分枚数を前記端末装置からカード種別毎に受信すると、前記端末装置の端末番号に対応する発行機番号に関連付けているカード残枚数を前記差分枚数に基づき補正する処理をカード種別毎に行うことを特徴とする、請求項１に記載したＩＣカード発行システム。
【請求項３】
前記ＩＣカード発行機は、前記ＩＣカード発行機内の未発行ＩＣカードのニアエンドを検出すると、ニアエンドを検出した未発行ＩＣカードのカード種別を前記端末装置に通知するニアエンド検出手段を備えていることを特徴とする、請求項１または請求項２に記載したＩＣカード発行システム。
【請求項４】
未発行カードにカード種別をプレエンコードしておき、前記ＩＣカード発行管理装置の前記ＩＣカード発行制御手段は、ＩＣカードを発行する際、未発行カードから読み出したカード種別と発行するＩＣカードのカード種別を前記ＩＣカード発行機に照合させ、照合に失敗するとＩＣカードの発行を停止することを特徴とする、請求項１乃至３のいずれか一項に記載したＩＣカード発行システム。
【請求項５】
ＩＣカードを即時発行する店舗に設置される端末装置およびＩＣカード発行機とネットワークを介して接続している装置であって、
前記ＩＣカード発行機へカード発行データを送信し、前記ＩＣカード発行機をリモート制御してＩＣカードを発行するＩＣカード発行機制御手段と、
前記ＩＣカード発行機の発行機番号に関連付けて未発行ＩＣカードのカード残枚数をカード種別毎に管理し、リモート制御した前記ＩＣカード発行機の発行機番号、発行したＩＣカードのカード種別および発行枚数が前記ＩＣカード発行制御手段から通知されると、該発行機番号に関連付けられている該カード種別のカード残枚数から該発行枚数を減算し、
前記ＩＣカード発行機の発行機番号、カード種別および未発行ＩＣカードの補充枚数が前記端末装置から通知されると、該発行機番号に関連づけられている該カード種別のカード残枚数に該補充枚数を加算するカード残枚数管理手段と、を備えている、
ことを特徴とするＩＣカード発行管理装置。
【請求項６】
前記カード残枚数管理手段は、前記ＩＣカード発行機の発行機番号に関連付けて前記端末装置の端末番号を記憶し、前記端末装置の端末番号に対応する発行機番号に関連付けているカード種別毎のカード残枚数を前記端末装置に定期的に通知した後、前記端末装置に通知したカード残枚数と前記ＩＣカード発行機内の未発行ＩＣカードの残枚数との差分枚数を前記端末装置からカード種別毎に受信すると、前記端末装置の端末番号に対応する発行機番号に関連付けているカード残枚数を前記差分枚数に基づき補正する処理をカード種別毎に行うことを特徴とする、請求項５に記載したＩＣカード発行管理装置。
【請求項７】
未発行カードにカード種別をプレエンコードしておき、前記ＩＣカード発行管理装置の前記ＩＣカード発行制御手段は、ＩＣカードを発行する際、未発行カードから読み出したカード識別データと発行するＩＣカードのカード種別を前記ＩＣカード発行機に照合させ、照合に失敗するとＩＣカードの発行を停止することを特徴とする、請求項５または請求項６に記載したＩＣカード発行管理装置。
【発明の詳細な説明】
【技術分野】
【０００１】
本発明は、ＩＣカード発行機をリモート制御してＩＣカードを発行する技術に関し、更に詳しくは、ＩＣカード発行機内の未発行カードのカード残枚数を管理する技術に関する。
【背景技術】
【０００２】
ＩＣチップが実装されたＩＣカードは、金融決済システムや企業の入退室管理システムなど、高いセキュリティが要求されるシステムで用いられるため、発行前のＩＣカードである未発行ＩＣカードのカード残枚数を厳密に日次管理する必要がある。
【０００３】
ＩＣカードの大量発行に適した大型のＩＣカード発行機ならば、未発行ＩＣカードのカード残枚数を管理する機能が予め備わっているが、ＩＣカードを即時発行するシステム（例えば、特許文献１、２）で用いられるＩＣカード発行機のように、ＩＣカードの少量発行に適した安価で小型のＩＣカード発行機には、未発行ＩＣカードのカード残枚数を管理する機能が備えられていないことが多い。
【先行技術文献】
【特許文献】
【０００４】
【特許文献１】特開２００２−２４９２０号公報
【特許文献２】特開２００５−３８４１９号公報
【発明の概要】
【発明が解決しようとする課題】
【０００５】
そこで、本発明は、未発行ＩＣカードのカード残枚数を管理する機能を備えていないＩＣカード発行機を利用してＩＣカードを発行する場合であっても、未発行ＩＣカードのカード残枚数を管理できるＩＣカード発行システム、および、このＩＣカード発行システムで必要となる装置を提供することを目的とする。
【課題を解決するための手段】
【０００６】
上述した課題を解決する第１の発明は、ＩＣカードを即時発行する店舗に設置される端末装置と、前記店舗に設置されるＩＣカード発行機と、前記端末装置および前記ＩＣカード発行機とネットワークを介して接続しているＩＣカード発行管理装置とから少なくとも構成されるシステムである。
【０００７】
第１の発明にかかる前記ＩＣカード発行管理装置は、前記ＩＣカード発行機を利用してＩＣカードを発行するために、前記ＩＣカード発行機へカード発行データを送信し、前記ＩＣカード発行機をリモート制御してＩＣカードを発行するＩＣカード発行機制御手段を備え、更に、未発行ＩＣカードのカード残枚数を管理できるように、前記ＩＣカード発行機の発行機番号に関連付けて未発行ＩＣカードのカード残枚数をカード種別毎に管理し、リモート制御した前記ＩＣカード発行機の発行機番号、発行したＩＣカードのカード種別および発行枚数が前記ＩＣカード発行制御手段から通知されると、該発行機番号に関連付けられている該カード種別のカード残枚数から該発行枚数を減算し、前記ＩＣカード発行機の発行機番号、カード種別および未発行ＩＣカードの補充枚数が前記端末装置から通知されると、該発行機番号に関連づけられている該カード種別のカード残枚数に該補充枚数を加算するカード残枚数管理手段を備えている。
【０００８】
更に、第２の発明は、第１の発明に記載したＩＣカード発行システムにおいて、ＩＣカード発行時のトラブル等による未発行ＩＣカードの損紙枚数を反映できるように、前記ＩＣカード発行管理装置の前記カード残枚数管理手段は、前記ＩＣカード発行機の発行機番号に関連付けて前記端末装置の端末番号を記憶し、前記端末装置の端末番号に対応する発行機番号に関連付けているカード種別毎のカード残枚数を前記端末装置に定期的に通知した後、前記端末装置に通知したカード残枚数と前記ＩＣカード発行機内の未発行ＩＣカードのカード残枚数との差分枚数を前記端末装置からカード種別毎に受信すると、前記端末装置の端末番号に対応する発行機番号に関連付けているカード残枚数を前記差分枚数に基づき補正する処理をカード種別毎に行うことを特徴とする。
【０００９】
更に、第３の発明は、第１の発明または第２の発明に記載したＩＣカード発行システムにおいて、前記ＩＣカード発行機側で未発行ＩＣカードの補充タイミングを検出できるように、前記ＩＣカード発行機は、前記ＩＣカード発行機内の未発行ＩＣカードのニアエンドを検出すると、ニアエンドを検出したことを前記端末装置に通知するニアエンド検出手段を備えていることを特徴とする。
【００１０】
更に、第４の発明は、第１の発明乃至第３の発明のいずれか一項に記載したＩＣカード発行システムにおいて、未発行カードのセットミスを防止できるように、未発行カードにカード種別をプレエンコードしておき、前記ＩＣカード発行管理装置の前記ＩＣカード発行制御手段は、ＩＣカードを発行する際、未発行カードにプレエンコードされたカード種別と発行するＩＣカードのカード種別を前記ＩＣカード発行機に照合させ、照合に失敗するとＩＣカードの発行を停止することを特徴とする。
【００１１】
更に、第５の発明は、ＩＣカードを即時発行する店舗に設置される端末装置およびＩＣカード発行機とネットワークを介して接続しているＩＣカード発行管理装置であって、  前記ＩＣカード発行機へカード発行データを送信し、前記ＩＣカード発行機をリモート制御してＩＣカードを発行するＩＣカード発行機制御手段と、前記ＩＣカード発行機の発行機番号に関連付けて未発行ＩＣカードのカード残枚数をカード種別毎に管理し、リモート制御した前記ＩＣカード発行機の発行機番号、発行したＩＣカードのカード種別および発行枚数が前記ＩＣカード発行制御手段から通知されると、該発行機番号に関連付けられている該カード種別のカード残枚数から該発行枚数を減算し、前記ＩＣカード発行機の発行機番号、カード種別および未発行ＩＣカードの補充枚数が前記端末装置から通知されると、該発行機番号に関連づけられている該カード種別のカード残枚数に該補充枚数を加算するカード残枚数管理手段を備えている。
【００１２】
更に、第６の発明は、第５の発明に記載したＩＣカード発行管理装置であって、ＩＣカード発行時のトラブル等による未発行ＩＣカードの損紙枚数を反映できるように、前記カード残枚数管理手段は、前記ＩＣカード発行機の発行機番号に関連付けて前記端末装置の端末番号を記憶し、前記端末装置の端末番号に対応する発行機番号に関連付けているカード種別毎のカード残枚数を前記端末装置に定期的に通知した後、前記端末装置に通知したカード残枚数と前記ＩＣカード発行機内の未発行ＩＣカードのカード残枚数との差分枚数を前記端末装置からカード種別毎に受信すると、前記端末装置の端末番号に対応する発行機番号に関連付けているカード残枚数を前記差分枚数に基づき補正する処理をカード種別毎に行うことを特徴とする。
【００１３】
更に、第７の発明は、第５の発明または第６の発明に記載したＩＣカード発行管理装置において、前記ＩＣカード発行管理装置の前記ＩＣカード発行制御手段は、ＩＣカードを発行する際、未発行カードにプレエンコードされたカード種別と発行するＩＣカードのカード種別を前記ＩＣカード発行機に照合させ、照合に失敗するとＩＣカードの発行を停止することを特徴とする。
【発明の効果】
【００１４】
このように、本発明によれば、未発行ＩＣカードのカード残枚数を管理する機能を備えていないＩＣカード発行機を利用してＩＣカードを発行する場合であっても、未発行ＩＣカードのカード残枚数を管理できるＩＣカード発行システム、および、このＩＣカード発行システムで必要となる装置を提供できる。
【図面の簡単な説明】
【００１５】
【図１】ＩＣカード発行システム１の構成を説明する図。
【図２】ＩＣカード発行機３のブロック図。
【図３】ＩＣカード発行管理装置２のブロック図。
【図４】ＩＣカードを発行する際の動作を説明する図。
【図５】未発行ＩＣカードを補充する際の動作を説明する図。
【図６】カード残枚数を確認する際の動作を説明する図。
【発明を実施するための形態】
【００１６】
ここから、本発明の好適な実施形態について、図面を参照しながら詳細に説明する。なお、これから説明する実施形態は一つの実施形態にしか過ぎず、本発明は、これから説明する実施形態に限定されることなく、種々の変形や変更が可能である。
【００１７】
図１は、本発明に係るＩＣカード発行システム１の構成を説明する図である。本実施形態のＩＣカード発行システム１は、特許文献１や２のようにＩＣカードを即時発行するシステムで、図１には、ＩＣカードのイシュア（例えば、金融機関）の店舗８に設置される申し込み装置５と、店舗８に設置される小型のＩＣカード発行機３と、店舗８のオペレータが操作する端末装置４と、ＩＣカードの申し込み者の与信審査などを行うホスト装置６と、店舗８に設置されたＩＣカード発行機３をリモート制御してＩＣカードを発行する機能に加え、発行前のＩＣカードである未発行ＩＣカードのカード残枚数をＩＣカード発行機３の発行機番号に関連付けて未発行ＩＣカードのカード残枚数をカード種別毎に管理する機能を備えたＩＣカード発行管理装置２が含まれ、これらの装置は、店舗８内のＬＡＮやインターネットを含むネットワーク７に接続されている。
【００１８】
図２は、図１で図示したＩＣカード発行機３のブロック図である。図１で図示したＩＣカード発行機３は、未発行ＩＣカードのカード残枚数を管理する機能を備えていない発行機で、複数のカード種別のＩＣカードを即時発行できるように、複数のカード種別毎に未発行カードをストックできるようになっている。
【００１９】
また、ＩＣカード発行機３は、ＩＣカード発行管理装置２の指示に従いＩＣカードを発行できるように、未発行カードに書き込むデータが暗号化されたカード発行データとカード種別をＩＣカード発行管理装置２から受信すると、このカード発行データをこのカード種別の未発行ＩＣカードへ送信し、暗号化されているデータをこの未発行ＩＣカード内部で復号させ、復号したデータが書き込まれたＩＣカードを発行するＩＣカード発行手段３０を備える。
【００２０】
加えて、本実施形態では、ＩＣカード発行機３は、ＩＣカード発行機３にスタックされている未発行ＩＣカードのニアエンドを検出すると、ＩＣカード発行機３と同じ店舗８に設置されている端末装置４へ、ニアエンドを検出した未発行ＩＣカードのカード種別を通知するニアエンド検出手段３１を備える。
【００２１】
ニアエンドとは、ＩＣカード発行機３にスタックされている未発行ＩＣカードのカード残枚数がエンド（０枚）に近い状態を意味し、ニアエンド検出手段３１は、変位センサなどを用いて、ＩＣカード発行機３にスタックされている未発行ＩＣカードのカード残枚数をカード種別毎に測定し、未発行ＩＣカードのカード残枚数の測定結果が所定枚数になると、未発行ＩＣカードのカード残枚数がニアエンドに達したと判定する。
【００２２】
端末装置４のオペレータは、申し込み者の個人データとカード種別を含む申し込みデータを申し込み装置５から受信すると、端末装置４を操作して、端末装置４と同じ店舗８に設置されたＩＣカード発行機３の発行機番号と申し込み者の個人データを含む発行指示データをホスト装置６へ送信する。
【００２３】
また、端末装置４のオペレータは、ニアエンドを検出したことがＩＣカード発行機３から通知された後、端末装置４と同じ店舗８に設置されているＩＣカード発行機３に未発行ＩＣカードを補充すると、端末装置４を操作して、端末装置４と同じ店舗８に設置されているＩＣカード発行機３の発行機番号と、未発行ＩＣカードの補充枚数を含む補充データをＩＣカード発行管理装置２へ送信する。
【００２４】
図１で図示したホスト装置６は、ＩＣカードの発行指示データを端末装置４から受信すると、発行指示データに含まれる個人データで特定できる申し込み者について与信審査を行い、この与信審査に合格すると、発行指示データに含まれる発行機番号に加え、カード種別、カード番号、申し込み者の個人データを含む発券データをＩＣカード発行管理装置２へ送信する機能を備える。
【００２５】
図３は、図１で図示したＩＣカード発行管理装置２のブロック図である。図１で図示したＩＣカード発行管理装置２は、ＩＣカードを即時発行するために、ホスト装置６から発券データを受信すると、ＩＣカードと対になる暗号鍵を記憶しているＨＳＭ２ａを用いて、未発行カードに書き込むデータを暗号化したカード発行データを発券データに基づき生成するカード発行データ生成手段２０と、ネットワークを経由して、発券データに含まれる発行機番号で特定されるＩＣカード発行機３に対して、カード発行データ生成手段２０が生成したカード発行データと発券データに含まれるカード種別を送信し、ＩＣカード発行機３をリモート制御することでＩＣカードを発行するＩＣカード発行機制御手段２１を備える。
【００２６】
加えて、ＩＣカード発行管理装置２は、ＩＣカード発行機３の発行機番号に関連付けて、ＩＣカード発行機３と同じ店舗８に設置されている端末装置４の端末番号に加え、未発行カードのカード残枚数をカード種別毎に記憶している発行機ＤＢ２３（Data Base）と、発行機ＤＢ２３に記憶している未発行カードのカード残枚数を管理するカード残枚数管理手段２２を備える。
【００２７】
ここから、図１のＩＣカード発行システム１で実行されるシーケンスについて説明しながら、各装置について説明する。図４は、ＩＣカードを発行する際の動作を説明する図である。
【００２８】
ＩＣカードの申し込み者が、申し込み者の氏名等の個人データと発行を希望するＩＣカードのカード種別を申し込み装置５に入力すると、申し込み装置５に入力された個人データとカード種別を含む申し込みデータが端末装置４に送信され（Ｓ１）、端末装置４のオペレータは、店舗８に設置されたＩＣカード発行機３の発行機番号と申し込み者の個人データおよびカード種別を含む発行指示データをホスト装置６へ送信する（Ｓ２）。
【００２９】
ホスト装置６は、申し込み者の個人データ等を含む発行指示データを端末装置４から受信すると、個人データで特定される申し込み者の与信審査を実施し、この与信審査に合格すると、発行指示データに含まれる発行機番号に加え、ＩＣカードのカード種別およびカード番号、申し込み者の個人データが含まれる発券データを生成し、生成した発券データをＩＣカード発行管理装置２へ送信する（Ｓ３）。
【００３０】
ＩＣカード発行管理装置２は、ホスト装置６から発券データを受信すると、カード発行データ生成手段２０を作動させ、カード発行データ生成手段２０は、ＨＳＭ２ａを利用して発券データに含まれるカード番号や個人データを暗号化して、ＩＣカード発行機３に送信するカード発行データを生成し（Ｓ４）、発券データに含まれる発行機番号およびカード種別に加え、生成したカード発行データを引き渡してＩＣカード発行機制御手段２１を作動させる。
【００３１】
ＩＣカード発行管理装置２のＩＣカード発行機制御手段２１は、カード発行データ生成手段２０から引き渡された発行機番号で特定されるＩＣカード発行機３に対して、カード発行データ生成手段２０から引き渡されたカード発行データとカード種別を送信し、このＩＣカード発行機３のＩＣカード発行手段３０をリモート制御してＩＣカードを発行する（Ｓ５）。
【００３２】
ＩＣカード発行管理装置２のＩＣカード発行機制御手段２１は、ＩＣカード発行機３をリモート制御してＩＣカードを発行し、ＩＣカードの発行結果をホスト装置６へ送信すると（Ｓ６）、ＩＣカード発行機制御手段２１は、カード発行データ生成手段２０から引き渡された発行機番号、カード種別およびＩＣカードの発行枚数をカード残枚数管理手段２２に通知する。
【００３３】
ＩＣカード発行管理装置２のカード残枚数管理手段２２は、発行機番号、カード種別およびＩＣカードの発行枚数がＩＣカード発行機制御手段２１から通知されると、発行機ＤＢ２３を参照し、この発行機番号に関連付けられているこのカード種別のカード残枚数から発行枚数を減算して、ＩＣカードの発行結果を発行機ＤＢ２３に反映させる（Ｓ７）。
【００３４】
次に、ＩＣカード発行機３へ未発行ＩＣカードを補充する際の動作について説明する。図５は、ＩＣカード発行機３に未発行ＩＣカードを補充する際の動作を説明する図である。
【００３５】
ＩＣカード発行機３のニアエンド検出手段３１は、常時、ＩＣカード発行機３にスタックされている未発行ＩＣカードがニアエンドに達しているか確認し、ニアエンドに達していると判定した場合、ニアエンドを検出した未発行ＩＣカードのカード種別を所定の端末装置４へ通知する（Ｓ１０）。
【００３６】
ニアエンドを検出した未発行ＩＣカードのカード種別が通知されると、端末装置４のオペレータは、通知されたカード種別の未発行ＩＣカードをＩＣカード発行機３へ補充した後（Ｓ１１）、端末装置４を操作して、通知されたカード種別および未発行ＩＣカードの補充枚数を端末装置４に手入力し、補充した未発行ＩＣカードのカード種別、未発行ＩＣカードの補充枚数と、未発行ＩＣカードを補充したＩＣカード発行機３の発行機番号を含む補充データを、ＩＣカード発行管理装置２に対して送信する（Ｓ１２）。
【００３７】
ＩＣカード発行管理装置２のカード残枚数管理手段２２は、端末装置４から補充データが送信されると、補充データに含まれる発行機番号に関連付けられたカード枚数の中から、補充データに含まれるカード種別のカード残枚数に補充データに含まれる未発行ＩＣカードの補充枚数を加算して、未発行ＩＣカードの補充結果を発行機ＤＢ２３へ反映させる（Ｓ１３）。
【００３８】
なお、未発行ＩＣカードの磁気ストライプなどにカード種別をプレエンコードしておき、ＩＣカードを発行する際に、未発行カードにプレエンコードされたカード種別と発行するＩＣカードのカード種別を照合するようにしておくと、未発行ＩＣカードの補充ミスを減らすことができる。
【００３９】
図６は、カード残枚数を確認する際の動作を説明する図である。ＩＣカード発行時のトラブルなどにより未発行ＩＣカードの損紙が発生するケースがあるため、ＩＣカード発行管理装置２のカード残枚数管理手段２２は、発行機ＤＢ２３を参照し、端末装置４の端末番号に対応する発行機番号に関連付けているカード種別毎のカード残枚数を端末装置に定期的に通知する（Ｓ２０）。
【００４０】
端末装置４のオペレータは、ＩＣカード発行管理装置２側で管理しているＩＣカード発行機３のカード種別毎のカード残枚数が通知されると、ＩＣカード発行機３内の未発行ＩＣカードのカード残枚数をカード種別毎に確認した後、端末装置４を操作して、ＩＣカード発行機３内の未発行ＩＣカードのカード残枚数と、ＩＣカード発行管理装置２から通知されたカード残枚数との差分枚数をカード種別毎に入力し、端末装置４と同じ店舗８に設置されているＩＣカード発行機３の発行機番号とカード種別毎の差分枚数を含む補正データを、ＩＣカード発行管理装置２に対して送信する（Ｓ２１）。
【００４１】
ＩＣカード発行管理装置２のカード残枚数管理手段２２は、端末装置４から補正データが送信されると、発行機ＤＢ２３を参照し、補正データに含まれる発行機番号に関連付けられているカード残枚数を、補充データに含まれる差分枚数に基づき補正する処理をカード種別毎に行い、未発行ＩＣカードの補正結果を発行機ＤＢ２３へ反映させる（Ｓ２２）。
【００４２】
このように本発明によれば、未発行ＩＣカードのカード残枚数を管理する機能が備えられていないＩＣカード発行機３を利用する場合であっても、ＩＣカード発行機３をリモート制御するＩＣカード発行管理装置側で、ＩＣカード発行機３内の未発行ＩＣカードのカード残枚数を管理できるようになる。
【符号の説明】
【００４３】
１    ＩＣカード発行システム
２    ＩＣカード発行管理装置
２０  カード発行データ生成手段
２１  ＩＣカード発行機制御手段
２２  カード残枚数管理手段
２３  発行機ＤＢ
３    ＩＣカード発行機
４    端末装置
５    申し込み装置
６    ホスト装置
【図１】
0005874507.tif 000002
【図２】
0005874507.tif 000003
【図３】
0005874507.tif 000004
【図４】
0005874507.tif 000005
【図５】
0005874507.tif 000006
【図６】
0005874507.tif 000007